(57)【特許請求の範囲】
【請求項１】
吸込口を有するノズル本体と、このノズル本体の吸込口の近傍に設けられる突起群とを有する電気掃除機のノズルにおいて、
前記突起群が、可撓性を有すると共に弾性変形可能な軟質合成樹脂又はシリコンゴムで構成され、
前記突起群が、絨毯の深層部に到達する複数の比較的長い突起からなる長突起群と、絨毯の表層部に先端部が接触可能な複数の比較的短い突起からなる短突起群とを有して構成されることを特徴とする電気掃除機用ノズル。
【請求項２】
前記突起群を構成する各突起が錐状であることを特徴とする請求項１記載の電気掃除機用ノズル。
【発明の詳細な説明】
【技術分野】
【０００１】
本発明は、電気掃除機のノズルに関するものであり、特に、絨毯やふとん等に付着した毛や髪を吸引するのに適した電気掃除機のノズルに関するものである。
【背景技術】
【０００２】
従来、この種の電気掃除機用ノズルとしては、真空掃除機の吸引管に対して着脱自在となるように構成されると共に、吸込口に沿う位置に、被清掃物の毛を梳くための間隔を保って並設した複数の梳歯を有する櫛状部（本願発明の突起群に相当する）を備えた吸込み具が知られている（例えば、特許文献１参照。）。この吸込み具は、絨毯等の被清掃物に櫛状部を押し当てて前後動させ、梳歯で被清掃物の毛を梳くようにしながら吸引することで、被清掃物の内部深くにあった塵埃を表面まで梳き出して、この梳き出された塵埃を吸込口から吸い込むことができる。
【先行技術文献】
【特許文献】
【０００３】
【特許文献１】実公平７−１１７３４号公報
【発明の概要】
【発明が解決しようとする課題】
【０００４】
しかしながら、このような電気掃除機用ノズルの突起群は、絨毯等を梳くために、硬い材質によって構成されていた。従って、突起群を絨毯や毛布等に強く押し付けることで、絨毯や毛布等を傷める虞があった。このような問題を回避するために、突起群をエラストマー等の可撓性を有する材質によって構成することが考えられる。しかしながら、このような突起群では、毛足の長い絨毯等に潜む抜け毛等を良好に梳き出すことができない虞があった。また、絨毯等に潜む抜け毛等を良好に梳き出すためには、突起群を構成する突起の数を増やし、多くの突起によって抜け毛等を絨毯等から梳き出すようにするのが効果的である。しかしながら、突起群を構成する突起の数が増えると、絨毯等を梳く際の抵抗が大きくなってしまうという問題もあった。更に、絨毯や毛布等から梳き出された抜け毛等が、突起群に絡んでしまう虞もあった。
【０００５】
本発明は以上の問題点を解決し、絨毯等を傷めることなく、軽い力で良好に絨毯やふとん等に付着した毛や髪を梳き出すことができる電気掃除機用ノズルを提供することを目的とする。
【課題を解決するための手段】
【０００６】
本発明の請求項１に記載の電気掃除機用ノズルは、吸込口を有するノズル本体と、このノズル本体の吸込口の近傍に設けられる突起群とを有する電気掃除機のノズルにおいて、前記突起群が、可撓性を有すると共に弾性変形可能な軟質合成樹脂又はシリコンゴムで構成され、前記突起群が、絨毯の深層部に到達する複数の比較的長い突起からなる長突起群と、絨毯の表層部に先端部が接触可能な複数の比較的短い突起からなる短突起群とを有して構成されるものである。
【０００７】
また、本発明の請求項２に記載の電気掃除機用ノズルは、請求項１において、前記突起群を構成する各突起が錐状であるものである。
【発明の効果】
【０００８】
本発明の請求項１に記載の電気掃除機用ノズルは、以上のように構成することにより、前記長突起群が撓みながら絨毯等の深層部にある抜け毛等を梳き出すと共に、前記短突起群が撓みながら絨毯等の表層部にある抜け毛等を梳き出すことで、絨毯等を傷めることなく、効果的に絨毯等に付着した抜け毛等を掻き集め、吸引することができる。そして、前記短突起群が絨毯等の表層部を擦るように梳くことで、前記短突起群と絨毯等との抵抗を小さくすることができるので、突起数を多くしながらも、比較的軽い力で絨毯等から抜け毛等を良好に梳き出すことができる。
【０００９】
また、前記突起群を構成する各突起を錐状としたことにより、前記突起群に絡んだ抜け毛等が、前記ノズルの動きに伴って、前記各突起の傾斜に沿って抜けるので、前記突起群に抜け毛等が絡み付かないようにすることができる。
【図面の簡単な説明】
【００１０】
【図１】本発明の第一の実施形態を示す電気掃除機用ノズルの正面図である。
【図２】同、右側面図である。
【図３】同、底面図である。
【図４】同、絨毯等に使用した状態における右側面図である。
【図５】同、ふとん等に使用した状態における右側面図である。
【図６】同、本発明の電気掃除機用ノズルが取り付けられた電気掃除機の右側面図である。
【図７】本発明の第二の実施形態を示す電気掃除機用ノズルの正面図である。
【図８】同、右側面図である。
【図９】同、絨毯等に使用した状態における右側面図である。
【図１０】同、ふとん等に使用した状態における右側面図である。
【図１１】本発明の第三の実施形態を示す電気掃除機用ノズルの正面図である。
【図１２】同、右側面図である。
【図１３】同、底面図である。
【図１４】同、毛足の長い絨毯等に使用した状態における右側面図である。
【図１５】同、毛足の短い絨毯等に使用した状態における右側面図である。
【図１６】同、ふとん等に使用した状態における右側面図である。
【図１７】本発明における突起形状の変形例を示す概略図である。
【発明を実施するための形態】
【００１１】
以下、本発明の第一の実施形態について、図１乃至図６に基づいて説明する。１は手持ち型の電気掃除機である。この電気掃除機１は、掃除機本体２と、この掃除機本体２に対して着脱自在に取り付けられるノズル３と、前記掃除機本体２に対して着脱自在に取り付けられる集塵手段４とを有して構成される。
【００１２】
前記掃除機本体２は、電動送風機５が内蔵された胴部６と、図示しない吸引経路が内部に設けられた接続部７と、把持部８と、電源コード９とを有して構成される。また、前記把持部８には、前記集塵手段４を着脱するための操作部１０及び図示しないスイッチ操作部が設けられる。そして、前記接続部７の吸引経路の一端には、前記ノズル３が着脱自在に取り付けられる。
【００１３】
前記ノズル３について詳述する。このノズル３は、横長のノズル本体１１と、このノズル本体１１に対して回動可能に取り付けられる接続部材１２とを有して構成される。そして、前記ノズル本体１１は、その底面１３の中央に吸込口１４が形成される。また、この吸込口１４を挟むように、前記底面１３に、複数の長突起１５から構成される長突起群１６と、複数の短突起１７から構成される短突起群１８が設けられる。なお、前記各長突起１５及び短突起１７は、前記ノズル本体１１の下部に取り付けられる基部１９と一体に形成される。
【００１４】
前記各長突起１５及び短突起１７は、エラストマー等の軟質合成樹脂やシリコンゴム等、可撓性を有すると共に弾性変形可能な素材によってそれぞれ構成される。また、前記各長突起１５及び短突起１７は、それぞれ下端側が尖った略円錐状に形成される。なお、前記各長突起１５及び短突起１７は、図１及び図２に示すように、全体として円錐状であれば、その下端部を丸めた形状であっても良い。そして、前記長突起群１６は、一対の長突起列２０，２１により構成されると共に、前記短突起群１８は、一対の短突起列２２，２３により構成される。これらの長突起列２０，２１及び短突起列２２，２３は、それぞれ左右方向に延びて設けられる。また、前記各長突起列２０，２１及び短突起列２２，２３は、互いに平行に設けられる。そして、前記短突起列２２は、前記長突起列２０よりも後方に設けられる。また、前記短突起列２３は、前記長突起列２１よりも前方に設けられる。即ち、前記各短突起列２２，２３は、前記各長突起列２０，２１よりも前記吸込口１４に近い位置に設けられる。更に、前記各長突起列２０，２１を構成する長突起１５同士の間隔は、前記各短突起列２２，２３を構成する短突起１７同士の間隔と等しく構成されている。そして、前記各短突起１７は、図１に示すように、正面視で、前記各長突起１５の間に位置する。即ち、前記各長突起１５と短突起１７は、千鳥状に配列される。
【００１５】
次に、本実施形態の作用について説明する。前記掃除機本体２に前記ノズル３及び集塵手段４が取り付けられた状態で、前記電源コード９の先端に設けられた図示しない電源プラグを、同じく図示しない電源に接続した後、同じく図示しないスイッチ操作部を操作することで、前記電動送風機５が作動する。そして、このように前記電動送風機５が作動することで、前記ノズル３から図示しない吸引経路、前記集塵手段４を経て前記電動送風機５に至る吸引気流が形成される。この吸引気流に含まれる塵埃は、前記集塵手段４内で吸引気流から分離され、前記集塵手段４内に溜められる。
【００１６】
被清掃物が毛足の長い絨毯Ｃである場合、この絨毯Ｃ上に前記ノズル３を押し当てると、図４に示すように、前記各長突起１５は撓んだ状態で前記絨毯Ｃの深層部に到達する。一方、前記各短突起１７は、殆ど撓まずに、その先端部が前記絨毯Ｃの表層部に接触する。このような状態で、前記絨毯Ｃに沿って矢印Ａ方向に前記ノズル３を動かすと、前記各長突起１５は、前記絨毯Ｃの全層に亘って前記絨毯Ｃの毛の間に入り込んで、抜け毛等を梳き出すと共に、前記各短突起１７は、前記絨毯Ｃの表層部において前記絨毯Ｃの毛の間に入り込んで、抜け毛等を梳き出す。そして、この梳き出された抜け毛等は、前記各突起１５，１７同士の間隙から、吸引気流と共に前記吸込口１４に流入し、前記集塵手段４にて吸引気流から分離される。なお、前記各長突起１５は、前述したように、撓んだ状態で前記絨毯Ｃの毛を梳くので、この絨毯Ｃを傷めにくくすることができる。一方、前記各短突起１７は、殆ど撓まないものの、前記絨毯Ｃの表層部に軽く接し、この表層部のみを梳く。このため、前記各短突起１７は、前記絨毯Ｃを傷めにくい。また、前記各短突起１７が前記絨毯Ｃを梳く際の抵抗は、前記各長突起１５が前記絨毯Ｃを梳く際の抵抗よりも小さくすることができる。また、前記短突起１７は、その先端部が前記絨毯Ｃの表層部に接するので、その先端部によって前記絨毯Ｃの表層部を効果的に梳くことができる。このため、本実施形態の前記ノズル３は、本実施形態の長突起１５の数と短突起１７の数の和と同数の長突起を設けた構造に比べ、比較的小さな力で絨毯Ｃを梳いて、良好に清掃することができる。
【００１７】
なお、前記絨毯Ｃの毛足が短い場合、前記短突起１７は前記絨毯Ｃに触れない可能性がある。この場合、前記長突起１５のみによって、前記絨毯Ｃに付着した抜け毛等が梳き出される。しかしながら、毛足の短い前記絨毯Ｃは、毛足の長いものよりも抜け毛等が梳き出され易い。従って、毛足の短い前記絨毯Ｃの場合、前記長突起１５のみであっても、抜け毛等を良好に梳き出すことができる。
【００１８】
被清掃物がふとん等である場合、このふとん等の上に前記ノズル３を押し当てると、図５に示すように、負圧によってふとん等の表面の布Ｆが前記吸込口１４に吸引される。しかしながら、前記各突起１５，１７によって、前記ノズル３の底面１３と布Ｆとの間に隙間が確保されると共に、前記長突起列２０と短突起列２２との間及び前記長突起列２１と短突起列２３との間にも隙間が確保されるので、前記吸込口１４を塞ぐことなく、所定量の吸引気流を確保することができる。このように、所定量の吸引気流が確保された状態で、前記ふとん等の表面の布Ｆに沿って矢印Ａ方向に前記ノズル３を動かすと、前記各長突起１５は、撓みながら前記布Ｆの表面に付着した抜け毛等を掻き集める。一方、前記各短突起１７は、前記布Ｆが吸引されることで、その先端部が前記布Ｆと接するため、前記各長突起１５よりも軽く前記布Ｆと接し、前記布Ｆに付着した抜け毛等を掻き集める。そして、この掻き集められた抜け毛等は、前記各突起１５，１７同士の間隙から、吸引気流と共に前記吸込口１４に流入し、前記集塵手段４にて吸引気流から分離される。なお、前記各長突起１５は、前述したように、撓んだ状態で前記ふとん等の表面の布Ｆに接するので、この布Ｆを傷めにくくすることができる。一方、前記各短突起１７は、殆ど撓まないものの、前述したように、前記ふとん等の表面の布Ｆに対し軽く接するので、この布Ｆを傷めにくくすることができる。
【００１９】
なお、人や動物の抜け毛等は、梳き出されたり掻き集められたりした際に、前記各突起群１６，１８に絡み付く可能性がある。しかしながら、前述した通り、前記各突起１５，１７が先細の円錐形に形成されるので、前記各突起群１６，１８に絡んだ抜け毛等が、前記ノズル３の動きに伴って、前記各突起１５，１７の傾斜に沿って抜けるので、前記各突起群１６，１８に抜け毛等が絡み付かないようにすることができる。
【００２０】
以上のように本発明は、吸込口１４を有するノズル本体１１と、このノズル本体１１の吸込口１４の近傍に設けられる突起群とを有する電気掃除機１のノズル３において、可撓性を有すると共に弾性変形可能な軟質合成樹脂又はシリコンゴムで前記突起群を構成すると共に、前記突起群を、絨毯Ｃの深層部に到達する複数の長突起１５からなる長突起群１６と、絨毯Ｃの表層部に先端部が接触可能な複数の短突起１７からなる短突起群１８とで構成したことで、前記長突起群１６が撓みながら絨毯Ｃ等の深層部の抜け毛等を梳き出し、前記短突起群１８が撓みながら絨毯Ｃ等の表層部の抜け毛等を梳き出すことで、絨毯Ｃ等を傷めることなく、効果的に絨毯Ｃ等に付着した抜け毛等を掻き集めることができるばかりでなく、前記短突起群１８が絨毯Ｃ等の表層部を擦るように梳くことで、前記短突起群１８と絨毯Ｃ等との抵抗を小さくすることができるので、突起数を多くしながらも、比較的軽い力で絨毯Ｃ等から抜け毛等を良好に梳き出すことができるものである。
【００２１】
また、前記各突起群１６，１８を構成する各突起１５，１７を錐状としたことにより、前記各突起群１６，１８に絡んだ抜け毛等が、前記ノズル３の動きに伴って、前記各突起１５，１７の傾斜に沿って抜けるので、前記各突起群１６，１８に抜け毛等が絡み付かないようにすることができるものである。
【００２２】
次に、本発明の第二の実施形態について、図７乃至図１０に基づいて説明する。なお、本実施形態では、ノズル３０のみについて説明し、掃除機本体２及び集塵手段４については説明を省略する。また、前記ノズル３０についても、第一の実施形態と共通する部分については共通の符号を付し、その説明を省略する。
【００２３】
前記ノズル３０は、横長のノズル本体１１と、このノズル本体１１に対して回動可能に取り付けられる接続部材１２とを有して構成される。そして、前記ノズル本体１１は、その底面１３の中央に吸込口１４が形成される。また、この吸込口１４を挟むように、前記底面１３に、複数の長突起３１から構成される長突起群３２と、複数の短突起３３から構成される短突起群３４が設けられる。なお、前記各長突起３１及び短突起３３は、前記ノズル本体１１の下部に取り付けられる基部３５と一体に形成される。
【００２４】
前記各長突起３１及び短突起３３は、エラストマー等の軟質合成樹脂やシリコンゴム等、可撓性を有すると共に弾性変形可能な素材によってそれぞれ構成される。また、前記各長突起３１及び短突起３３は、それぞれ下端側が尖った略円錐状に形成される。なお、前記各長突起３１及び短突起３３は、図７及び図８に示すように、全体として円錐状であれば、その下端部を丸めた形状であっても良い。そして、前記長突起群３２は、一対の長突起列３６，３７により構成されると共に、前記短突起群３４は、一対の短突起列３８，３９により構成される。これらの長突起列３６，３７及び短突起列３８，３９は、それぞれ左右方向に延びて設けられる。なお、前記長突起列３６と短突起列３８は、同一直線上に前記長突起３１と短突起３３とを交互に並べることで、それぞれ構成される。同様に、前記長突起列３７と短突起列３９も、同一直線上に前記長突起３１と短突起３３とを交互に並べることで、それぞれ構成される。即ち、本実施形態では、前記長突起列３６と短突起列３８は、それぞれ突起列４０の一部を構成すると共に、前記長突起列３７と短突起列３９も、それぞれ突起列４１の一部を構成する。また、前記突起列４０と突起列４１は、互いに平行に設けられる。
【００２５】
次に、本実施形態の作用について説明する。被清掃物が毛足の長い絨毯Ｃである場合、この絨毯Ｃ上に前記ノズル３０を押し当てると、図９に示すように、前記各長突起３１は撓んだ状態で前記絨毯Ｃの深層部に到達する。一方、前記各短突起３３は、殆ど撓まずに、その先端部が前記絨毯Ｃの表層部に接触する。このような状態で、前記絨毯Ｃに沿って矢印Ａ方向に前記ノズル３０を動かすと、前記各長突起３１は、前記絨毯Ｃの全層に亘って前記絨毯Ｃの毛の間に入り込んで、抜け毛等を梳き出すと共に、前記各短突起３３は、前記絨毯Ｃの表層部において前記絨毯Ｃの毛の間に入り込んで、抜け毛等を梳き出す。そして、この梳き出された抜け毛等は、前記各突起３１，３３同士の間隙から、吸引気流と共に前記吸込口１４に流入し、集塵手段４にて吸引気流から分離される。なお、前記各長突起３１は、前述したように、撓んだ状態で前記絨毯Ｃの毛を梳くので、この絨毯Ｃを傷めにくくすることができる。一方、前記各短突起３３は、殆ど撓まないものの、前記絨毯Ｃの表層部に軽く接し、この表層部のみを梳くので、前記絨毯Ｃを傷めにくくすることができるばかりでなく、前記各短突起３３が前記絨毯Ｃを梳く際の抵抗を小さくすることができる。また、前記短突起３３は、その先端部が前記絨毯Ｃの表層部に接するので、その先端部によって前記絨毯Ｃの表層部を効果的に梳くことができる。このため、本実施形態の前記ノズル３０は、本実施形態の長突起３１の数と短突起３３の数の和と同数の長突起を設けた構造に比べ、比較的小さな力で絨毯Ｃを梳いて、良好に清掃することができる。
【００２６】
なお、前記絨毯Ｃの毛足が短い場合、前記短突起３３は前記絨毯Ｃに触れない可能性がある。この場合、前記長突起３１のみによって、前記絨毯Ｃに付着した抜け毛等が梳き出される。しかしながら、毛足の短い前記絨毯Ｃは、毛足の長いものよりも抜け毛等が梳き出され易い。従って、毛足の短い前記絨毯Ｃの場合、前記長突起３１のみであっても、抜け毛等を良好に梳き出すことができる。
【００２７】
被清掃物がふとん等である場合、このふとん等の上に前記ノズル３０を押し当てると、図１０に示すように、負圧によってふとん等の表面の布Ｆが前記吸込口１４に吸引される。しかしながら、前記各突起３１，３３によって、前記ノズル３０の底面１３と布Ｆとの間に隙間が確保されるので、前記吸込口１４を塞ぐことなく、所定量の吸引気流を確保することができる。このように、所定量の吸引気流が確保された状態で、前記ふとん等の表面の布Ｆに沿って矢印Ａ方向に前記ノズル３０を動かすと、前記各長突起３１は、撓みながら前記布Ｆの表面に付着した抜け毛等を掻き集める。一方、前記各短突起３３は、前記布Ｆが吸引されることで、その先端部が前記布Ｆと接した場合、前記各長突起３１よりも軽く前記布Ｆと接し、前記布Ｆに付着した抜け毛等を掻き集める。そして、この掻き集められた抜け毛等は、前記各突起３１，３３同士の間隙から、吸引気流と共に前記吸込口１４に流入し、前記集塵手段４にて吸引気流から分離される。なお、前記各長突起３１は、前述したように、撓んだ状態で前記ふとん等の表面の布Ｆに接するので、この布Ｆを傷めにくくすることができる。一方、前記各短突起３３は、殆ど撓まないものの、前述したように、前記ふとん等の表面の布Ｆに対し軽く接するので、この布Ｆを傷めにくくすることができる。
【００２８】
なお、人や動物の抜け毛等は、梳き出されたり掻き集められたりした際に、前記各突起群３２，３４に絡み付く可能性がある。しかしながら、前述した通り、前記各突起３１，３３が先細の円錐形に形成されるので、前記各突起群３２，３４に絡んだ抜け毛等が、前記ノズル３０の動きに伴って、前記各突起３１，３３の傾斜に沿って抜けるので、前記各突起群３２，３４に抜け毛等が絡み付かないようにすることができる。
【００２９】
以上のように本発明は、吸込口１４を有するノズル本体１１と、このノズル本体１１の吸込口１４の近傍に設けられる突起群とを有する電気掃除機１のノズル３０において、可撓性を有すると共に弾性変形可能な軟質合成樹脂又はシリコンゴムで前記突起群を構成すると共に、前記突起群を、絨毯Ｃの深層部に到達する複数の長突起３１からなる長突起群３２と、絨毯Ｃの表層部に先端部が接触可能な複数の短突起３３からなる短突起群３４とで構成したことで、前記長突起群３２が撓みながら絨毯Ｃ等の深層部の抜け毛等を梳き出し、前記短突起群３４が撓みながら絨毯Ｃ等の表層部の抜け毛等を梳き出すことで、絨毯Ｃ等を傷めることなく、効果的に絨毯Ｃ等に付着した抜け毛等を掻き集めることができるばかりでなく、前記短突起群３４が絨毯Ｃ等の表層部を擦るように梳くことで、前記短突起群３４と絨毯Ｃ等との抵抗を小さくすることができるので、突起数を多くしながらも、比較的軽い力で絨毯Ｃ等から抜け毛等を良好に梳き出すことができるものである。
【００３０】
また、前記各突起群３２，３４を構成する各突起３１，３３を錐状としたことにより、前記各突起群３２，３４に絡んだ抜け毛等が、前記ノズル３０の動きに伴って、前記各突起３１，３３の傾斜に沿って抜けるので、前記各突起群３２，３４に抜け毛等が絡み付かないようにすることができるものである。
【００３１】
次に、本発明の第三の実施形態について、図１１乃至図１６に基づいて説明する。なお、本実施形態でも、ノズル５０のみについて説明し、掃除機本体２及び集塵手段４については説明を省略する。また、前記ノズル５０についても、第一及び第二の実施形態と共通する部分については共通の符号を付し、その説明を省略する。
【００３２】
前記ノズル５０は、横長のノズル本体１１と、このノズル本体１１に対して回動可能に取り付けられる接続部材１２とを有して構成される。そして、前記ノズル本体１１は、その底面１３の中央に吸込口１４が形成される。また、この吸込口１４を挟むように、前記底面１３に、複数の長突起５１から構成される長突起群５２と、複数の第一短突起５３から構成される第一短突起群５４と、複数の第二短突起５５から構成される第二短突起群５６が設けられる。なお、前記第一短突起５３は、前記長突起５１よりも短く、且つ、前記第二短突起５５よりも長く形成される。また、前記各長突起５１、第一短突起５３及び第二短突起５５は、前記ノズル本体１１の下部に取り付けられる基部５７と一体に形成される。
【００３３】
前記各長突起５１、第一短突起５３及び第二短突起５５は、エラストマー等の軟質合成樹脂やシリコンゴム等、可撓性を有すると共に弾性変形可能な素材によってそれぞれ構成される。また、前記各長突起５１、第一短突起５３及び第二短突起５５は、それぞれ下端側が尖った略円錐状に形成される。なお、前記各長突起５１、第一短突起５３及び第二短突起５５は、図１１及び図１２に示すように、全体として円錐状であれば、その下端部を丸めた形状であっても良い。そして、前記長突起群５２は、一対の長突起列５８，５９により構成される。また、前記第一短突起群５４は、一対の第一短突起列６０，６１により構成される。更に、前記第二短突起群５６は、一対の第二第二短突起列６２，６３により構成される。これらの長突起列５８，５９、第一短突起列６０，６１及び第二第二短突起列６２，６３は、それぞれ左右方向に延びて設けられる。また、前記各長突起列５８，５９、第一短突起列６０，６１及び第二第二短突起列６２，６３は、互いに平行に設けられる。そして、前記第一短突起列６０は、前記長突起列５８よりも後方に設けられると共に、前記第二第二短突起列６２は、前記第一短突起列６０よりも後方に設けられる。一方、前記第一短突起列６１は、前記長突起列５９よりも前方に設けられると共に、前記第二短突起列６３は、前記第一短突起列６１よりも前方に設けられる。即ち、前記各第二短突起列６２，６３は、前記各第一短突起列６０，６１よりも前記吸込口１４に近い位置に設けられると共に、前記各第一短突起列６０，６１は、前記各長突起列５８，５９よりも前記吸込口１４に近い位置に設けられる。更に、前記各長突起列５８，５９を構成する長突起５１同士の間隔と、前記各第一短突起列６０，６１を構成する第一短突起５３同士の間隔と、前記各第二短突起列６２，６３を構成する第二短突起５５同士の間隔は、等しく構成されている。そして、前記各第一短突起５３は、図１１に示すように、正面視で、前記各長突起５１の間に位置する。また、前記各第二短突起５５は、前記各長突起５１と前後に重なる。即ち、前記各長突起５１と第一短突起５３と第二短突起５５は、千鳥状に配列される。
【００３４】
次に、本実施形態の作用について説明する。被清掃物が毛足の長い絨毯Ｃである場合、この絨毯Ｃ上に前記ノズル５０を押し当てると、図１４に示すように、前記各長突起５１は撓んだ状態で前記絨毯Ｃの深層部に到達する。これに対し、前記各第一短突起５３は、殆ど撓まずに、その先端部が前記絨毯Ｃの中層部に達する。また、前記各第二短突起５５は、殆ど撓まずに、その先端部が前記絨毯Ｃの表層部に接触する。このような状態で、前記絨毯Ｃに沿って矢印Ａ方向に前記ノズル５０を動かすと、前記各長突起５１は、前記絨毯Ｃの全層に亘って前記絨毯Ｃの毛の間に入り込んで、抜け毛等を梳き出す。また、前記各第一短突起５３は、前記絨毯の表層部から中層部に亘って前記絨毯Ｃの毛の間に入り込んで、抜け毛等を梳き出す。更に、前記各第二短突起５５は、前記絨毯Ｃの表層部において前記絨毯Ｃの毛の間に入り込んで、抜け毛等を梳き出す。そして、この梳き出された抜け毛等は、前記各突起５１，５３，５５同士の間隙から、吸引気流と共に前記吸込口１４に流入し、集塵手段４にて吸引気流から分離される。なお、前記各長突起５１は、前述したように、撓んだ状態で前記絨毯Ｃの毛を梳くので、この絨毯Ｃを傷めにくくすることができる。前記各第一短突起５３も、前記絨毯Ｃの毛との抵抗によって僅かに撓みながら前記絨毯Ｃの毛を梳くので、この絨毯Ｃを傷めにくくすることができる。一方、前記各第二短突起５５は、殆ど撓まないものの、前記絨毯Ｃの表層部に軽く接し、この表層部のみを梳くので、前記絨毯Ｃを傷めにくくすることができる。そして、前記第一短突起５３は、前記絨毯Ｃの中層部までしか届かないので、前記第一短突起５３が前記絨毯Ｃから受ける抵抗は、前記長突起５１が前記絨毯Ｃから受ける抵抗よりも小さい。また、前記第二短突起５５は、前記絨毯Ｃの表層部までしか届かないので、前記第二短突起５５が前記絨毯Ｃから受ける抵抗は、前記長突起５１や第一短突起５３が前記絨毯Ｃから受ける抵抗よりも小さい。また、前記第二短突起５５は、その先端部が前記絨毯Ｃの表層部に接するので、その先端部によって前記絨毯Ｃの表層部を効果的に梳くことができる。このため、本実施形態の前記ノズル５０は、本実施形態の長突起５１の数と第一短突起５３の数と第二短突起５５の数の和と同数の長突起を設けた構造に比べ、比較的小さな力で絨毯Ｃを梳いて、良好に清掃することができる。
【００３５】
なお、前記絨毯Ｃの毛足がやや短い場合、前記第二短突起５５は前記絨毯Ｃに触れない可能性がある。この場合、図１５に示すように、前記長突起５１及び第一短突起５３のみによって、前記絨毯Ｃに付着した抜け毛等が梳き出される。そしてこの場合、前記第一短突起５３の先端は、前記絨毯Ｃの表層部までしか届かない。しかしながら、毛足のやや短い前記絨毯Ｃは、毛足の長いものよりも抜け毛等が梳き出され易い。従って、毛足のやや短い前記絨毯Ｃの場合、前記長突起５１と第一短突起５３のみであっても、抜け毛等を良好に梳き出すことができる。即ち、この場合、前記第一短突起５３が前述した第一の実施形態における前記短突起１７の代わりとなることで、第一の実施形態の場合と同様に作用する。また、前記絨毯Ｃの毛足が短い場合、前記第一短突起５３も前記絨毯Ｃに触れない可能性がある。この場合、前記長突起５１のみによって、前記絨毯Ｃに付着した抜け毛等が梳き出される。しかしながら、毛足の短い前記絨毯Ｃは、毛足の長いものや毛足のやや短いものよりも抜け毛等が梳き出され易い。従って、毛足の短い前記絨毯Ｃの場合、前記長突起５１のみであっても、抜け毛を良好に梳き出すことができる。
【００３６】
被清掃物がふとん等である場合、このふとん等の上に前記ノズル５０を押し当てると、図１６に示すように、負圧によってふとん等の表面の布Ｆが前記吸込口１４に吸引される。しかしながら、前記各突起５１，５３，５５によって、前記ノズル５０の底面１３と布Ｆとの間に隙間が確保されると共に、前記長突起列５８と第一短突起列６０との間、この第一短突起列６０と第二短突起列６２との間、前記第二短突起列６３と第一短突起列６１との間、及びこの第一短突起列６１と長突起列５９との間にも隙間が確保されるので、前記吸込口１４を塞ぐことなく、所定量の吸引気流を確保することができる。このように、所定量の吸引気流が確保された状態で、前記ふとん等の表面の布Ｆに沿って矢印Ａ方向に前記ノズル５０を動かすと、前記各長突起５１は、撓みながら前記布Ｆの表面に付着した抜け毛等を掻き集める。一方、前記第一短突起５３及び各第二短突起５５は、前記布Ｆが吸引されることで、その先端部が前記布Ｆと接するため、前記各長突起５１よりも軽く前記布Ｆと接し、前記布Ｆに付着した抜け毛等を掻き集める。そして、この掻き集められた抜け毛等は、前記各突起５１，５３，５５同士の間隙から、吸引気流と共に前記吸込口１４に流入し、集塵手段４にて吸引気流から分離される。なお、前記各長突起５１は、前述したように、撓んだ状態で前記ふとん等の表面の布Ｆに接するので、この布Ｆを傷めにくくすることができる。一方、前記各第一短突起５３及び第二短突起５５は、殆ど撓まないものの、前述したように、前記ふとん等の表面の布Ｆに対し軽く接するので、この布Ｆを傷めにくくすることができる。
【００３７】
なお、人や動物の抜け毛等は、梳き出されたり掻き集められたりした際に、前記各突起群５２，５４，５６に絡み付く可能性がある。しかしながら、前述した通り、前記各突起５１，５３，５５が先細の円錐形に形成されるので、前記各突起群５２，５４，５６に絡んだ抜け毛等が、前記ノズル５０の動きに伴って、前記各突起５１，５３，５５の傾斜に沿って抜けるので、前記各突起群５２，５４，５６に抜け毛等が絡み付かないようにすることができる。
【００３８】
以上のように本発明は、吸込口１４を有するノズル本体１１と、このノズル本体１１の吸込口１４の近傍に設けられる突起群とを有する電気掃除機１のノズル５０において、可撓性を有すると共に弾性変形可能な軟質合成樹脂又はシリコンゴムで前記突起群を構成すると共に、前記突起群を、絨毯Ｃの深層部に到達する複数の長突起５１からなる長突起群５２と、絨毯Ｃの表層部に接触可能な複数の第一短突起５３からなる第一短突起群５４及び複数の第二短突起５５からなる第二短突起群５６とで構成したことで、前記長突起群５２が撓みながら絨毯Ｃ等の深層部の抜け毛等を梳き出し、前記第一短突起群５４が撓みながら絨毯Ｃ等の中層部の抜け毛等を梳き出し、前記第二短突起群５６の先端部が撓みながら絨毯Ｃ等の表層部の抜け毛等を梳き出すことで、絨毯Ｃ等を傷めることなく、効果的に絨毯Ｃ等に付着した抜け毛等を掻き集めることができるばかりでなく、前記第一短突起群５４が絨毯Ｃ等の中層部から表層部にかけて梳くと共に前記第二短突起群５６の先端部が絨毯Ｃ等の表層部を擦るように梳くことで、前記各短突起群５４，５６と絨毯Ｃ等との抵抗を小さくすることができるので、突起数を多くしながらも、比較的軽い力で絨毯Ｃ等から抜け毛等を良好に梳き出すことができるものである。
【００３９】
また、前記各突起群５２，５４，５６を構成する各突起５１，５３，５５を錐状としたことにより、前記各突起群５２，５４，５６に絡んだ抜け毛等が、前記ノズル５０の動きに伴って、前記各突起５１，５３，５５の傾斜に沿って抜けるので、前記各突起群５２，５４，５６に抜け毛等が絡み付かないようにすることができるものである。
【００４０】
なお、本発明は以上の実施形態に限定されるものではなく、発明の要旨の範囲内で種々の変形実施が可能である。例えば、上述した第一及び第三の実施形態では、吸込口から離れた位置の突起列ほど突起の長さが長くなるように構成したが、突起列の位置とその突起列を構成する突起の長さの関係は任意である。また、第二の実施形態では、長突起と短突起とを交互に並べた突起列を、それぞれ吸込口の前後に一列ずつ設けたが、そのような突起列をそれぞれ吸込口の前後に複数列設けても良い。また、第三の実施形態では、短突起群を二種類の長さの短突起によって構成したが、短突起群を三種類以上の長さの短突起によって構成しても良い。更に、長突起と第一短突起とを交互に並べた突起列と、第一短突起と第二短突起とを交互に並べた突起列とを並べて設けるようにしても良い。
【００４１】
また、突起は、全体として先端側を細くした略錐形状になっていれば良い。従って、突起は、図１７（ａ）に示すように、先端をより尖らせた形状であっても良い。また、突起は、図１７（ｂ）に示すように、先端に球状部等の膨出した部分を設けた形状であっても良い。また、突起は、図１７（ｃ）に示すように、先端に円柱状部分を設けた形状であっても良い。また、突起は、図１７（ｄ）に示すように、基端に円柱部分を設けた形状であっても良い。更に、突起は、多角錐等、円錐以外の錐形状であっても良い。
【符号の説明】
【００４２】
３，３０，５０  ノズル
１１  ノズル本体
１４  吸込口
１５，３１，５１  長突起
１６，３２，５２  長突起群
１７，３３  短突起
１８，３４  短突起群
５３  第一短突起（短突起）
５４  第一短突起群（短突起群）
５５  第二短突起（短突起）
５６  第二短突起群（短突起群）
【図１】
0005843379.tif 000002
【図２】
0005843379.tif 000003
【図３】
0005843379.tif 000004
【図４】
0005843379.tif 000005
【図５】
0005843379.tif 000006
【図６】
0005843379.tif 000007
【図７】
0005843379.tif 000008
【図８】
0005843379.tif 000009
【図９】
0005843379.tif 000010
【図１０】
0005843379.tif 000011
【図１１】
0005843379.tif 000012
【図１２】
0005843379.tif 000013
【図１３】
0005843379.tif 000014
【図１４】
0005843379.tif 000015
【図１５】
0005843379.tif 000016
【図１６】
0005843379.tif 000017
【図１７】
0005843379.tif 000018